(57)【要約】【課題】実装面積が小さく且つ円偏波の信号を良好に受信可能なアンテナ装置等を実現すること。【解決手段】ＧＰＳを内蔵する腕時計１において、文字盤２３の上に形成されている時字２３ａのうち、例えば１２時及び２時のそれぞれに対応する時字２３ａを、単独で直線偏波の信号を受信可能なチップ状のプリントアンテナ３１ａ，３１ｂとする。そして、アンテナ３１ａ，３１ｂそれぞれの受信信号の位相差がアンテナ３１ａ，３１ｂの長手方向即ち受信特性方向の交差角度θに等しくなるよう、少なくとも一方の受信信号、例えばアンテナ３１ｂの受信信号を移相して合成することにより、円偏波であるＧＰＳ電波を受信する。【選択図】図１
2007124011.tif 000002
【特許請求の範囲】
【請求項１】
直線偏波受信用の所定の受信特性方向が交差するように配置されたチップ状の２つのアンテナ素子と、
この２つのアンテナ素子の受信信号のうち、少なくとも一方の受信信号の位相を変化させて、前記アンテナ素子それぞれの受信特性方向の交差角度に応じた位相差にする位相変化手段と、
この位相変化手段により位相差が与えられた両受信信号を合成して出力する信号合成手段と、
を備えるアンテナ装置。
【請求項２】
直線偏波受信用の所定の受信特性方向が交差するように配置されたチップ状の複数のアンテナ素子と、
この複数のアンテナ素子の受信信号のうち、一部又は全部の受信信号の位相を変化させて、前記アンテナ素子それぞれの受信特性方向の交差角度に応じた位相差にする位相変化手段と、
この位相変化手段により位相差が与えられた各受信信号を合成して出力する信号合成手段と、
を備えるアンテナ装置。
【請求項３】
前記アンテナ素子は、隣接するアンテナ素子同士の受信特性方向が直交しないように配置されていることを特徴とする請求項１又は２に記載のアンテナ装置。
【請求項４】
外部から視認可能な視認空間と、
この視認空間に直線偏波受信用の所定の受信特性方向が異なる向きになるように配置されたチップ状の複数のアンテナ素子と、
この複数のアンテナ素子の受信信号のうち、一部又は全部の受信信号の位相を変化させて、前記アンテナ素子それぞれの受信方向特性の差異に応じた位相差にする位相変化手段と、
この位相変化手段により位相差が与えられた後の各受信信号を合成して出力する合成出力手段と、
この合成出力手段により出力された信号に基づいて現在位置を検出する位置検出手段と、
を備える電子機器。
【請求項５】
前記アンテナ素子は、受信特性方向が平行な複数のアンテナ素子片が電気的に接続されて成ることを特徴とする請求項４に記載の電子機器。
【請求項６】
前記アンテナ素子は、前記視認空間に配置された所定の装飾部材であることを特徴とする請求項４に記載の電子機器。
【請求項７】
アナログ時計機構を備え、
前記視認空間は文字盤とガラス面との間に形成された空間であり、
前記アンテナ素子は時字であることを特徴とする請求項４に記載の電子機器。
【発明の詳細な説明】
【技術分野】
【０００１】
本発明は、チップ状のアンテナ素子を備えるアンテナ装置等に関する。
【背景技術】
【０００２】
電子機器の一種であるＧＰＳ（Global Positioning System）を内蔵する従来の腕時計として、ＧＰＳ電波を受信するアンテナは時計ケースの外部に取り外し可能に構成され、ＧＰＳを使用しない場合には取り外すことができるものがあった（例えば、特許文献１参照）。
【０００３】
また近年では、実装される製品の小型化を妨げないよう、機器本体の内部に設けられたプリント配線基板上にフォトエッチング技術を利用してアンテナ導体を形成した、いわゆるプリントアンテナが多く利用されている。
【０００４】
ＧＰＳ電波を受信するアンテナの場合、円偏波の信号を受信する必要がある。そこで、ＧＰＳ電波等の円偏波の信号を受信するアンテナとして、プリント配線基板上に、直線偏波の信号を受信するチップ状の２つのプリントアンテナが互いに直交する軸に沿って配置されて成る少なくとも１つのプリントアンテナ対を実装した構成が知られている（例えば、特許文献２参照）。
【特許文献１】特開２００１−１０２８２７号公報
【特許文献２】特開２００４−２８２１０９号公報
【発明の開示】
【発明が解決しようとする課題】
【０００５】
しかしながら、特許文献２に開示されている技術では、１つのアンテナ対を構成する各プリントアンテナを互いに直交する軸に沿って配置する必要があるが、このことはアンテナを製品に実装する際の制約となり、製品の小型化の妨げとなっていた。上記事情に鑑み、本発明は、実装面積が小さく且つ円偏波の信号を良好に受信可能なアンテナ装置等を実現することを目的としている。
【課題を解決するための手段】
【０００６】
上記課題を解決するために、請求項１に記載の発明は、
直線偏波受信用の所定の受信特性方向が交差するように配置されたチップ状の２つのアンテナ素子（例えば、図１〜図３のアンテナ３１ａ，３１ｂ）と、
この２つのアンテナ素子の受信信号のうち、少なくとも一方の受信信号の位相を変化させて、前記アンテナ素子それぞれの受信特性方向の交差角度に応じた位相差にする位相変化手段（例えば、図２，図３の移相回路部３２）と、
この位相変化手段により位相差が与えられた両受信信号を合成して出力する信号合成手段（例えば、図２，図３の移相回路部３２）と、
を備えるアンテナ装置（例えば、図３のアンテナ装置６２０）である。
【０００７】
請求項２に記載の発明は、
直線偏波受信用の所定の受信特性方向が交差するように配置されたチップ状の複数のアンテナ素子（例えば、図１〜図３のアンテナ３１ａ，３２ｂ）と、
この複数のアンテナ素子の受信信号のうち、一部又は全部の受信信号の位相を変化させて、前記アンテナ素子それぞれの受信特性方向の交差角度に応じた位相差にする位相変化手段（例えば、図２，図３の移相回路部３２）と、
この位相変化手段により位相差が与えられた各受信信号を合成して出力する信号合成手段（例えば、図２，図３の移相回路部３２）と、
を備えるアンテナ装置（例えば、図３のアンテナ装置６２０）である。
【０００８】
請求項３に記載の発明は、請求項１又は２に記載のアンテナ装置において、
前記アンテナ素子は、隣接するアンテナ素子同士の受信特性方向が直交しないように配置されていることを特徴とする。
【０００９】
請求項４に記載の発明は、
外部から視認可能な視認空間（例えば、図２の文字盤２３と時計ガラス１２との間の空間）と、
この視認空間に直線偏波受信用の所定の受信特性方向が異なる向きになるように配置されたチップ状の複数のアンテナ素子（例えば、図１〜図３のアンテナ３１ａ，３１ｂ）と、
この複数のアンテナ素子の受信信号のうち、一部又は全部の受信信号の位相を変化させて、前記アンテナ素子それぞれの受信方向特性の差異に応じた位相差にする位相変化手段（例えば、図２，図３の移相回路部３２）と、
この位相変化手段により位相差が与えられた後の各受信信号を合成して出力する合成出力手段（例えば、図２，図３の移相回路部３２）と、
この合成出力手段により出力された信号に基づいて現在位置を検出する位置検出手段（例えば、図３のＣＰＵ１００）と、
を備える電子機器（例えば、図１〜図３の腕時計１）である。
【００１０】
請求項５に記載の発明は、請求項４に記載の電子機器において、
前記アンテナ素子は、受信特性方向が平行な複数のアンテナ素子片が電気的に接続されて成ることを特徴とする。
【００１１】
請求項６に記載の発明は、請求項４に記載の電子機器において、
前記アンテナ素子は、前記視認空間に配置された所定の装飾部材であることを特徴とする。
【００１２】
請求項７に記載の発明は、請求項４に記載の電子機器において、
アナログ時計機構（例えば、図２のアナログ指針機構２６）を備え、
前記視認空間は文字盤（例えば、図２の文字盤２３）とガラス面（例えば、図２の時計ガラス１２）との間に形成された空間であり、
前記アンテナ素子は時字（例えば、図１，図２の１２時及び２時それぞれに対応する時字２３ａ）であることを特徴とする。
【発明の効果】
【００１３】
請求項１に記載の発明によれば、直線偏波受信用の２つのアンテナ素子の受信信号が、アンテナ素子それぞれの受信特性方向の交差角度に応じた位相差にされて合成される。これにより、直線偏波受信用の２つのアンテナ素子を用いて、実装面積が小さく且つ円偏波を良好に受信することが可能なアンテナ装置を実現できる。またこのとき、２つのアンテナ素子の受信特性方向が必ずしも直交しなくとも良いので、製品に実装する際のレイアウトの自由度が高まり、この製品の小型化を妨げない。
【００１４】
請求項２に記載の発明によれば、直線偏波受信用の複数のアンテナ素子の受信信号が、アンテナ素子それぞれの受信特性方向の交差状態に応じた位相差にされて合成される。
これにより、直線偏波受信用の複数のアンテナ素子を用いて、実装面積が小さく且つ円偏波を良好に受信することが可能なアンテナ装置を実現できる。またこのとき、複数のアンテナ素子の受信特性方向が必ずしも直交しなくとも良いので、製品に実装する際のレイアウトの自由度が高まり、この製品の小型化を妨げない。
【００１５】
請求項３に記載の発明によれば、アンテナ素子は、隣接するアンテナ素子同士の受信特性方向が直交しないように配置される。即ち、隣接するアンテナ素子同士の受信特性方向を直交させて配置させなくとも円偏波を受信可能となるので、このアンテナ装置を製品に実装する際のレイアウトの自由度を高めることができる。
【００１６】
請求項４に記載の発明によれば、視認空間に受信特性方向が異なるように配置された直線偏波受信用の複数のアンテナ素子の受信信号が、アンテナ素子それぞれの受信特性方向の交差角度に応じた位相差にされて合成され、この合成された信号に基づいて現在位置が検出される。これにより、直線偏波受信用の複数のアンテナ素子を用いて円偏波を良好に受信し、受信信号を基に現在位置を検出する電子機器を実現できる。またこのとき、複数のアンテナ素子の受信特性方向が必ずしも直交しなくとも良いので、このアンテナ素子を用いることにより、電子機器の小型化を妨げるような実装方法の制約を回避できる。
【００１７】
請求項５に記載の発明によれば、アンテナ素子は、受信特性方向が平行な複数のアンテナ素子片が電気的に接続されて成る。これにより、例えば分離して配置した複数のアンテナ素子片を接続することで１つのアンテナ素子を構成できるので、アンテナ素子を電子機器に実装する際のレイアウトの自由度が高まり、電子機器の小型化を妨げるようなアンテナ素子の実装方法の制約を回避できる。
【００１８】
請求項６に記載の発明によれば、視認空間に配置された装飾物の装飾部材をアンテナ素子として用いることができる。これにより、視認空間内にアンテナ素子の実装のためのスペースを特に用意する必要が無く、電子機器の小型化を妨げない。
【００１９】
請求項７に記載の発明によれば、電子機器の一種であるアナログ時計において、時字をアンテナ素子として用いることができる。
【発明を実施するための最良の形態】
【００２０】
以下、図面を参照して、本発明の好適な実施形態を説明する、尚、以下では、本発明を、ＧＰＳを内蔵する腕時計に適用した場合を説明するが、本発明を適用可能な実施形態がこれに限定されるものではない。
【００２１】
［外観］
図１は、本実施形態における腕時計１の平面図であり、図２は、腕時計１のＡ−Ａ´矢視断面図（１２時−６時断面図）である。腕時計１は、時計モジュールやＧＰＳモジュール等を内部に収納する時計ケース１０を備えている。時計ケース１０の外周部分であって６時及び１２時それぞれの位置には、これをユーザの手首に装着するための時計バンド６０が取り付けられているとともに、時計ケース１０の外周側面には、腕時計１の各種機能の実行を指示するためのスイッチ１１が設けられている。
【００２２】
時計ケース１０は、ステンレスやチタン等の金属により環状の短柱形状に形成されている。また、時計ケース１０の１２時及び６時それぞれの位置の側方部分には、時計バンド６０を取り付けるための延出部が形成されており、この延出部には、時計バンド６０を取り付けるピンを通す孔部が形成されている。
【００２３】
時計ケース１０の上端部（図２中、上側）には、この上端部を塞ぐように時計ガラス１２がパッキン１３を介して嵌められており、時計ケース１０の下端部（図２中、下側）には、この下端部を塞ぐように裏蓋（バック）１４がＯリング１５を介して取り付けられている。裏蓋１４は、ステンレスやチタン等の強度が強い金属により、厚みが薄いほぼ平板状に形成されている。
【００２４】
時計ケース１０の内部には、上部ハウジング２１及び下部ハウジング２２が、それぞれの周縁部が時計ケース１０の内側周面に設けられている中枠に取り付けられて配置されている。
【００２５】
上部ハウジング２１の上面には所定の樹脂で形成されたプリント配線基板３０が配置されており、更にその上面には文字盤２３が配置され、この文字盤２３の上面にはリング状の見切り板２４が時計ガラス１２の周縁部に当接した状態で配置されている。また、文字盤２３の６時寄りの位置に形成された開口部２３ｂの下方には、時刻等を表示する液晶表示パネル２５が上部ハウジング２１に支持されて配置されている。即ち、腕時計１を正面から見たときに、時計ガラス１２を通して文字盤２３を視認できるとともに、文字盤２３の開口部２３ｂを介して液晶表示パネル２５に表示された時刻が視認できるようになっており、この視認空間中を指針２６ａが運針される。
【００２６】
また、文字盤２３の上面には、平面視略矩形状に形成された１２個の時字２３ａが円周方向に等間隔で設けられており、これら各時字２３ａが１時から１２時の各時に対応している。本実施形態では、これらの時字２３ａのうち、１２時及び２時それぞれに対応する時字２３ａは、単独で直線偏波の信号を受信するアンテナ３１ａ，３１ｂであり、この２つのアンテナ３１ａ，３１ｂにより、円偏波の信号であるＧＰＳ電波を受信可能に構成されている。アンテナ３１ａ，３１ｂは、プリント配線基板３０の上面（表面）に所定のアンテナ導体をパターニング形成したいわゆるプリントアンテナであり、文字盤２３の対応する位置に形成された開口部からその上方に露出するように形成されている。
【００２７】
また、プリント配線基板３０の下面（裏面）であって１２時寄りの位置には、プリント配線により形成された移相回路部３２が配置されている。この移相回路部３２は、アンテナ３１ａ，３１ｂそれぞれと電気的に接続され、アンテナ３１ａ，３１ｂそれぞれによる受信信号の位相差が所定角度θとなるよう、少なくとも一方の受信信号の位相を変化（移相）させる。
【００２８】
また、上部ハウジング２１は、時計ケース１０内部のほぼ中央付近に配置されたアナログ指針機構２６を備える。アナログ指針機構２６は、文字盤２３の中央部に形成された軸孔からその上方に延びる指針軸と、この指針軸に取り付けられた時針や分針等の指針２６ａとを有し、指針２６ａを文字盤２３の上方で運針させる。
【００２９】
下部ハウジング２２には、電池２７が組み込まれている。また、上部ハウジング２１と下部ハウジング２２との間には、アナログ指針機構２６やアンテナ３１ａ，３１ｂ等を接続してこれらを制御する回路基板２８が配置されている。
【００３０】
回路基板２８が有する回路要素としては、ＣＰＵ等の制御ＩＣと、発振回路を有して現在時刻を計時する計時回路と、移相回路部３２を介してアンテナ３１ａ，３１ｂと電気的に接続され、このアンテナ３１ａ，３１ｂによる受信信号から位置データを取り出す受信回路とがある。制御ＩＣは、受信回路で取り出された位置データに基づいて当該腕時計１の現在位置を特定する処理や、計時回路により計時された現在時刻を液晶表示パネル２５に表示させる、或いは、現在時刻を示すようにアナログ指針機構２６を制御して指針２６ａを運針させる処理等を行う。
【００３１】
［内部構成］
図３は、腕時計１の内部構成を示すブロック図である。同図によれば、腕時計１は、ＣＰＵ１００と、入力部２００と、表示部３００と、ＲＯＭ４００と、ＲＡＭ５００と、位置検出制御回路部６００と、移相回路部３２と、計時回路部７００と、発振回路部７２０とを備えて構成される。
【００３２】
ＣＰＵ１００は、所定のタイミング或いは入力部２００から入力された操作信号に応じてＲＯＭ４００に格納されたプログラムを読み出してＲＡＭ５００に展開し、該プログラムに基づいて腕時計１を構成する各部への指示やデータの転送等を行う。具体的には、例えば、計時回路部７００による現在時刻を表示部３００に表示させる計時処理や、位置検出制御回路部６００から入力される位置情報の信号を基に現在位置を検出する位置検出処理等を行う。
【００３３】
入力部２００は、腕時計１の各種機能の実行を指示するためのスイッチ１１を含み、このスイッチ１１が操作されると、対応する操作信号をＣＰＵ１００に出力する。表示部３００は、文字盤２３やＣＰＵ１００によって制御されるアナログ指針機構２６、液晶表示パネル２５を含み、計時回路部７００によって計時された現在時刻を表示する。
【００３４】
ＲＯＭ４００は、腕時計１にかかるシステムプログラムやアプリケーションプログラム、本実施の形態を実現するためのプログラムやデータ等を記憶する。ＲＡＭ５００は、ＣＰＵ１００の作業領域として用いられ、ＲＯＭ４００から読み出されたプログラムやＣＰＵ１００で処理されたデータ等を一時的に記憶する。
【００３５】
移相回路部３２は、アンテナ３１ａ，３１ｂそれぞれの受信信号の位相差が、アンテナ３１ａ，３１ｂの長手方向即ち受信特性方向の交差角度θとなるよう、アンテナ３１ａ，３１ｂによる受信信号のうち、少なくとも一方の受信信号の位相を変化（移相）させる。具体的には、例えば、一方の受信信号を「θ」だけ移相させることで双方の受信信号の位相差を「θ」とさせる。そして、この位相差を「θ」とした２つの受信信号を合成して出力する。また、この移相回路部３２は、アンテナ３１ａ，３１ｂとともにアンテナ装置６２０を構成する。
【００３６】
図４に、移相回路部３２の回路構成とアンテナ３１ａ，３１ｂの一例を示す。同図によれば、移相回路部３２はオフセット給電型の移相回路であり、移相器３３を備えている。移相器３３は、アンテナ３１ｂによる受信信号を「θ」だけ移相させて出力する。ここで、「θ」は、アンテナ３１ａ，３１ｂの長手方向の交差角度である。そして、移相回路部３２からは、アンテナ３１ａの受信信号と、移相器３３からの出力信号とが合成されて出力される。即ち、互いの位相差が「θ」であるアンテナ３１ａ，３１ｂそれぞれの受信信号が合成されて出力される。
【００３７】
図５に、移相器３３の回路構成の一例を示す。同図によれば、移相器３３は、インダクタＬ１，Ｌ２と、コンデンサＣとを有する周知の構成であり、これらインダクタＬ１，Ｌ２及びコンデンサＣの設定値により、入力信号の移相角度が決まる。またこの移相器３３は、プリント配線基板３０上に所定の導体をパターニングすることにより形成される。
【００３８】
図３において、位置検出制御回路部６００は、移相回路部３２から入力される信号に基づいて、位置情報（例えば、緯度や経度、高度等）を算出する。ＣＰＵ１００は、この位置情報を基に当該腕時計１の現在位置を算出する。
【００３９】
計時回路部７００は、発振回路部７２０から入力される信号を計数して現在時刻を計時し、計時した現在時刻データをＣＰＵ１００に出力する。発振回路部７２０は、常時一定周波数のクロック信号を出力する回路である。
【００４０】
［作用・効果］
以上、本実施形態によれば、腕時計１は、１２時及び２時それぞれに対応する時字２３ａが、単独で直線偏波の信号を受信可能なチップ状のプリントアンテナであるアンテナ３１ａ，３１ｂとして構成される。そして、移相回路部３２により、このアンテナ３１ａ，３１ｂそれぞれによる受信信号の位相差が、アンテナ３１ａ，３１ｂの長手方向即ち受信特性方向の交差角度θとなるよう、少なくとも一方の受信信号が移相されて合成される。これにより、円偏波であるＧＰＳ電波を良好に受信することができる。また、アンテナ３１ａ，３１ｂは、時字２３ａとして兼用されるとともに、その長手方向が直交しなくとも良いので、レイアウトの自由度が高まり、アンテナの実装による腕時計１の小型化を妨げない。
【００４１】
［変形例］
尚、本発明を適用可能な実施形態は、上述した実施形態に限定されることなく、本発明の趣旨を逸脱しない範囲で適宜変更可能なのは勿論である。
【００４２】
（Ａ）移相回路部３２
例えば、上述した実施形態では、移相回路部３２を図４に示す回路構成としたが、他の構成としても良い。
【００４３】
図６に、移相回路部３２の他の回路構成例として、分布定数型の移相回路である移相回路部３２Ａの回路構成を示す。同図によれば、移相回路部３２Ａはオフセット給電型のマイクロストリップ線路で成る分布定数回路であり、一端がアンテナ３１ａに接続されたマイクロストリップ線路３４ａと、一端がアンテナ３１ｂに接続された、線路長が線路３４ａより「λ・θ／（２π）」だけ長いマイクロストリップ線路３４ｂとの他端同士が接続されて成る。
【００４４】
ここで、「λ」は、アンテナ３１ａ，３１ｂが受信するＧＰＳ電波の波長が誘電体の波長短縮効果により短縮された波長であり、ＧＰＳ電波の波長そのものよりも短くなっている。この波長の短縮率は、主に、プリント配線基板３０の材料である誘電体の比誘電率や厚さ、線路３４ａ，３４ｂの線路幅等によって決まる。
【００４５】
このように、線路３４ａ，３４ｂの線路長の差が「λ・θ／（２π）」であることにより、線路３４ａ，３４ｂの接続点においてアンテナ３１ａ，３１ｂそれぞれの受信信号の位相差が「θ」となり、アンテナ３１ａ，３１ｂの長手方向の交差角度θに応じた移相が為される。
【００４６】
また、特に、例えば１２時及び３時それぞれに対応する時字２３ａがアンテナ３１ａ，３１ｂである場合等、アンテナ３１ａ，３１ｂの長手方向が直交する場合には、図７に示すブランチライン型の移相回路である移相回路部３２Ｂとしても良い。同図において、「λ」は、上述のように、ＧＰＳ電波の波長がプリント配線基板３０の材料である誘電体の波長短縮効果によって短縮された波長である。そして、この移相回路部３２Ｂからは、互いの位相差が「θ＝９０°」とされたアンテナ３１ａ，３１ｂそれぞれによる受信信号が合成されて出力される。
【００４７】
尚、上述した実施形態では、移相回路部３２は、アンテナ３１ａ，３１ｂそれぞれの受信信号のうち、一方の受信信号を移相することとしたが、双方の受信信号を適当に移相してその位相差が「θ」となるようにしても良い。
【００４８】
（Ｂ）アンテナの数
また、上述した実施形態では２つのアンテナ３１ａ，３１ｂを備えることとしたが、３以上のアンテナを備えることとしても良い。この場合、各アンテナについて、当該アンテナ及び他のアンテナそれぞれの受信信号の位相差が、当該２つのアンテナの長手方向の交差角度に等しくなるよう、受信信号を移相すれば良い。
【００４９】
具体的には、例えば、アンテナ３１ａ，３１ｂに加え、更に４時に対応する時字２３ａをアンテナ３１ｃとする。ここで、アンテナ３１ｃは、アンテナ３１ａ，３１ｂと同様に、単独で直線偏波の信号を受信可能であり、プリント配線基板３０の上面に所定のアンテナ導体がパターニングされて形成されたプリントアンテナである。この場合、アンテナ３１ａ，３１ｂの長手方向の交差角度、及び、アンテナ３１ｂ，３１ｃの長手方向の交差角度は、ともに等しく「θ」である。
【００５０】
図８に、３つのアンテナ３１ａ，３１ｂ，３１ｃを備える場合の移相回路部３２Ｃの回路構成の一例を示す。同図によれば、移相回路部３２Ｃは、２つの移相器３３ａ，３３ｂを有する。移相器３３ａは、アンテナ３１ｂによる受信信号の位相を「θ」だけ変化（移相）させて出力する。移相器３３ｂは、アンテナ３１ｃによる受信信号の位相を「２θ」だけ変化（移相）させて出力する。
【００５１】
そして、移相回路部３２Ｃからは、アンテナ３１ａによる受信信号と、移相器３３ａ，３３ｂそれぞれの出力信号とが合成されて出力される。即ち、アンテナ３１ａの受信信号と、アンテナ３１ａの受信信号との位相差が「θ」とされたアンテナ３１ｂの受信信号と、アンテナ３１ａの受信信号との位相差が「２θ」とされたアンテナ３１ｃの受信信号とが合成されて出力される。
【００５２】
このように、３以上のアンテナを備える場合、移相回路部３２は、これらのアンテナのうち、何れか１つのアンテナを基準として、他の各アンテナの受信信号を、該アンテナ及び基準としたアンテナの長手方向の交差角度だけ移相させる。これにより、３以上の直線偏波の信号を受信するアンテナで円偏波を受信することが可能となる。尚、アンテナ３１ａ，３１ｂの長手方向の交差角度、及び、アンテナ３１ｂ，３１ｃの長手方向の交差角度は、ともに等しく「θ」であるとしたが、異なることとしても良い。
【００５３】
（Ｃ）複数のアンテナで１つのアンテナを形成
また、上述した実施形態では、１つの時字２３ａを１つのアンテナとしたが、長手方向が平行な２つ以上のアンテナを電気的に接続して１つのアンテナとしても良い。
【００５４】
具体的には、例えば、図９に示すように、アンテナ３１ａ，３１ｂに加え、更に、６時及び８時に対応する時字２３ａを、それぞれアンテナ３１ｄ，３１ｅとする。同図は、文字盤２３の平面図である。ここで、アンテナ３１ｄ，３１ｅは、アンテナ３１ａ，３１ｂと同様に、単独で直線偏波を受信可能であり、プリント配線基板３０の上面に所定のアンテナ導体をパターニングして形成されたプリントアンテナである。そして、長手方向が平行なアンテナ３１ａとアンテナ３１ｄ、アンテナ３１ｂとアンテナ３１ｅを、それぞれ、例えばプリント配線基板３０上で配線により接続する。このように、長手方向即ち受信特性方向が一致する２つのアンテナを接続して１つのアンテナとすることで、ＧＰＳ電波の受信感度を更に向上させることができる。
【００５５】
（Ｄ）アンテナとする装飾部材
また、上述した実施形態では、時字２３ａをアンテナとすることとしたが、文字盤２３上の装飾部材、例えば文字盤２３上のメーカ名等の装飾文字をアンテナとしても良い。
【００５６】
（Ｅ）電子機器
また、上述した実施形態では、本発明を、ＧＰＳを内蔵する腕時計に適用した場合を説明したが、円偏波を受信するアンテナを備える電子機器であれば、同様に適用可能なのは勿論である。
【図面の簡単な説明】
【００５７】
【図１】腕時計の正面図。
【図２】腕時計の断面図。
【図３】腕時計の内部構成図。
【図４】移相回路部の回路構成例。
【図５】移相器の回路構成例。
【図６】移相回路部の他の回路構成例。
【図７】移相回路部の他の回路構成例。
【図８】移相回路部の他の回路構成例。
【図９】アンテナの他の配置例。
【符号の説明】
【００５８】
１  腕時計
１００  ＣＰＵ
２００  入力部
３００  表示部
４００  ＲＯＭ
５００  ＲＡＭ
６００  アンテナ装置
３１ａ，３１ｂ  アンテナ
３２  移相回路部
３３  位相器
７００  位置検出制御回路部
８００  計時回路部
８２０  発振回路部
【図１】
2007124011.tif 000003
【図２】
2007124011.tif 000004
【図３】
2007124011.tif 000005
【図４】
2007124011.tif 000006
【図５】
2007124011.tif 000007
【図６】
2007124011.tif 000008
【図７】
2007124011.tif 000009
【図８】
2007124011.tif 000010
【図９】
2007124011.tif 000011